(57)【要約】【課題】フォーカスコイルと磁石の相対的な位置を調整する必要がなく、フォーカスコイルの駆動電流の調整だけで、構造の小型化及び簡単化、低コスト化を実現可能な光ディスク装置を提供する。【解決手段】対物レンズ２４、２つのフォーカスコイル２５ａ、２５ｂ、対物レンズとフォーカスコイルを保持するレンズ保持部材２７を有する可動部Ｄと、可動部Ｄを弾性支持部材によって支持する固定部Ｓとを具備する。そして可動部Ｄにフォーカス方向の駆動に伴って発生するチルトを、２つのフォーカスコイルに駆動電流を供給する２つの駆動回路５ａ、５ｂの駆動電流の比を調整することによって補正する。【選択図】図１
2008293620.tif 000002
【特許請求の範囲】
【請求項１】
少なくとも対物レンズ、２つのフォーカスコイル、前記対物レンズと前記２つのフォーカスコイルを保持する保持部材を有する可動部と、前記可動部を複数の弾性支持部材によって支持する固定部とを有する光ピックアップにおいて、前記可動部のフォーカス方向の駆動に伴って発生するチルトを、前記２つのフォーカスコイルのそれぞれに供給される駆動電流の比を調整することによって補正することを特徴とする光ピックアップ。
【請求項２】
前記２つのフォーカスコイルに供給する駆動電流のうち少なくとも一方にオフセット電流を付加し、前記可動部に発生する静的なチルトを前記２つのフォーカスコイルのオフセット電流の差を調整することによって補正することを特徴とする請求項１に記載の光ピックアップ。
【請求項３】
前記駆動電流を供給する駆動回路の一部又は全部が光ピックアップ内に配置されていることを特徴とする請求項１又は２に記載の光ピックアップ。
【請求項４】
少なくとも対物レンズ、２つのフォーカスコイル、前記対物レンズと前記２つのフォーカスコイルを保持する保持部材を有する可動部と前記可動部を複数の弾性支持部材によって支持する固定部とを有する光ピックアップと、前記２つのフォーカスコイルにそれぞれ駆動電流を供給する駆動回路とを有する光ディスク装置において、前記可動部のフォーカス方向の駆動に伴って発生するチルトを、前記駆動回路の駆動電流の比を調整することによって補正することを特徴とする光ディスク装置。
【請求項５】
前記２つのフォーカスコイルに供給する駆動電流のうち少なくとも一方にオフセット電流を付加し、前記可動部に発生する静的なチルトを前記２つのフォーカスコイルのオフセット電流の差を調整することによって補正することを特徴とする請求項４に記載の光ディスク装置。
【請求項６】
前記駆動回路の一部又は全部が前記光ピックアップ内に配置されていることを特徴とする請求項４又は５に記載の光ディスク装置。
【発明の詳細な説明】
【技術分野】
【０００１】
本発明は、光ディスクに情報信号を記録又は再生するための光ピックアップ及び光ディスク装置に関するものである。
【背景技術】
【０００２】
従来より、光ディスクの情報信号記録層に対してレーザ光を照射することにより情報信号を記録し、或いはその反射光から記録された情報信号を再生する光ディスク装置が実用化されている。このような光ディスク装置はレーザ光を発生し、これを微小な光スポットに集光するための光ピックアップを備えている。光ピックアップは集光用の対物レンズをフォーカス制御及びトラッキング制御するためのアクチュエータを備えている。
【０００３】
図７は一例として特開２００１−２９７４５６号公報（特許文献１）に開示された光ディスク装置の光ピックアップにおけるアクチュエータの構成を示す。
【０００４】
図７においてアクチュエータは、レンズ保持部材４０、レンズ保持部材４０に搭載された対物レンズ４１、フォーカスコイル４２及びトラッキングコイル４３、弾性支持部材４４、支持基台４５、基板４６、永久磁石４７より構成されている。レンズ保持部材４０は両側に取り付けられた複数の弾性支持部材４４によって保持されている。弾性支持部材４４の基端は支持基台４５に固定されている。
【０００５】
情報信号を記録再生する場合には、図示しないレーザ光源から出射したレーザ光を対物レンズ４１より光ディスクの記録層に収束するように照射する。この時図示しない駆動回路より、制御信号に基づいたフォーカス駆動電流とトラッキング駆動電流が、フォーカスコイル４２とトラッキングコイル４３とに供給される。
【０００６】
これら駆動電流と永久磁石４７が発生する磁束が交差することによりフォーカスコイル４２とトラッキングコイル４３に作用する電磁力によりレンズ保持部材４０を光ディスクに対して垂直なフォーカス方向と記録トラックに直交するラジアル方向に駆動する。
【０００７】
その結果光スポットは光ディスクが面振れにより垂直方向に変位しても、これに追従して記録トラック上に正確に集光するようにフォーカス制御される。また記録トラックが偏芯によりラジアル方向に変位してもこれに追従しながら走査するようにトラッキング制御される。
【０００８】
ここで光ディスクに対する情報信号の記録再生における分解能は、記録層に形成される光スポットの品位に大きく依存する。従って対物レンズ４１がチルト（光ディスクに対する傾き）を生じることによるコマ収差の発生を防止することは特に重要である。
【０００９】
このためにアクチュエータの製造においては、レンズ保持部材４０が、少なくとも駆動を行わない中立状態において傾きが十分に小さくなるように、精度よく組み立てられなければならない。
【００１０】
しかしながら、例えば、個々の弾性支持部材４４の特性のばらつきによって両側の弾性支持部材４４の剛性に差がある場合、フォーカス方向への駆動の結果、レンズ保持部材４０が弾性支持部材４４から受ける反力が両側で異なる場合がある。また永久磁石４７の磁束密度の分布の不均一等によってフォーカス方向への駆動力が、両側の弾性支持部材４４の中間位置には作用しない場合がある。
【００１１】
このような場合にはレンズ保持部材４０のフォーカス方向への駆動に伴い、モーメントが作用するため、これが原因となってラジアル方向のチルトが発生する。このように構成部材の特性に起因し、動的に発生するチルトは、組み立ての精度を向上したとしても防止することができない。
【特許文献１】特開２００１−２９７４５６号公報
【発明の開示】
【発明が解決しようとする課題】
【００１２】
これに対して特許文献１に記載のアクチュエータは、永久磁石４７とフォーカスコイル４２の相対的な位置を調整する機構によってこのような課題を解決している。即ちフォーカス方向に駆動しつつ永久磁石４７とフォーカスコイル４２の相対的な位置を調整することで、適切な大きさのモーメントを発生させる。このモーメントによって動的なチルトの原因となるモーメントを相殺することでチルトの発生を防止する。
【００１３】
しかしながらこのような調整手段は、永久磁石４７とフォーカスコイル４２との間に、十分な調整代を設けておく必要がある。そのため、アクチュエータのラジアル方向の寸法がそれだけ大きくなるという課題がある。またアクチュエータには調整のための機構を設ける必要があり、構造的に複雑化する課題がある。
【００１４】
更に製造工程においては、調整後に部材の位置を固定するために、単純な取り付け工程ではなく、調整と固定の工程を別に設ける必要があり、工程の複雑化によってコストが増大するという課題がある。
【００１５】
本発明の目的は、フォーカスコイルと磁石の相対的な位置を調整する必要がなく、フォーカスコイルの駆動電流の調整だけで、構造の小型化及び簡単化、低コスト化を実現可能な光ディスク装置を提供することにある。
【課題を解決するための手段】
【００１６】
本発明の光ピックアップは、少なくとも対物レンズ、２つのフォーカスコイル、前記対物レンズと前記２つのフォーカスコイルを保持する保持部材を有する可動部と、前記可動部を複数の弾性支持部材によって支持する固定部とを有する光ピックアップにおいて、前記可動部のフォーカス方向の駆動に伴って発生するチルトを、前記２つのフォーカスコイルのそれぞれに供給される駆動電流の比を調整することによって補正する。
【００１７】
また、本発明の光ディスク装置は、少なくとも対物レンズ、２つのフォーカスコイル、前記対物レンズと前記２つのフォーカスコイルを保持する保持部材を有する可動部と前記可動部を複数の弾性支持部材によって支持する固定部とを有する光ピックアップと、前記２つのフォーカスコイルにそれぞれ駆動電流を供給する駆動回路とを有する光ディスク装置において、前記可動部のフォーカス方向の駆動に伴って発生するチルトを、前記駆動回路の駆動電流の比を調整することによって補正する。
【発明の効果】
【００１８】
本発明によれば、アクチュエータによるフォーカス方向の駆動に伴う対物レンズの動的なチルトを、部材の位置を調整することなく電気的な手段のみで簡単に調整することが可能となる。従って、アクチュエータの寸法、特にラジアル方向の寸法を低減でき、装置を小型化することができる。
【００１９】
また、アクチュエータに調整のための機構を設ける必要がないので、構造的に単純化することができ、更にコスト低減が可能となる。更に、製造工程においては電気的な調整工程を追加するのみで、調整と部材固定の工程を別に設ける必要もないため、更にコスト低減が可能となる。
【発明を実施するための最良の形態】
【００２０】
次に、発明を実施するための最良の形態について図面を参照して詳細に説明する。図２は本発明に係る光ディスク装置の一実施形態の構成を示す図である。図中１は光ディスク、２は光ピックアップ、３は光ディスク１を回転駆動するスピンドルモータ、４はエラー信号生成回路である。また、５ａは第１のフォーカス駆動回路、５ｂは第２のフォーカス駆動回路、６はトラッキング駆動回路である。
【００２１】
光ピックアップ２はレーザ光源７、コリメータレンズ８、ビームスプリッタ９、集光レンズ１０、受光素子１１、対物レンズ２４及び対物レンズ２４をフォーカス制御とトラッキング制御するアクチュエータ１２等より構成されている。
【００２２】
図１は本発明に係るアクチュエータ１２の構成を示す。図１（ａ）は上面図、図１（ｂ）は図１（ａ）のＡ−Ａ線における断面図である。アクチュエータ１２は固定部Ｓと可動部Ｄから成り、固定部Ｓは基板２０、永久磁石２１ａ，２１ｂ，２２、及び支持基台２３で構成されている。可動部Ｄは対物レンズ２４、第１のフォーカスコイル２５ａ、第２のフォーカスコイル２５ｂ、トラッキングコイル２６、及びこれらを保持するレンズ保持部材２７で構成されている。
【００２３】
弾性支持部材２８ａ，２８ｂ，２８ｃ，２８ｄ，２８ｅ，２８ｆは線状で弾性及び高導電性を有し、基端は支持基台２３に固定されている。先端はレンズ保持部材２７の側面に固定され、可動部Ｄは光ディスク１に対して垂直なフォーカス方向及びラジアル方向への変位が自在となるように保持されている。
【００２４】
弾性支持部材２８ａ，２８ｂ，２８ｃ，２８ｄ，２８ｅ，２８ｆはレンズ保持部材２７上で第１のフォーカスコイル２５ａ、第２のフォーカスコイル２５ｂ及びトラッキングコイル２６に電気的に接続されている。
【００２５】
情報信号の記録を行う場合には、まず、スピンドルモータ３により光ディスク１を回転駆動する。この状態で、レーザ光源７が発生する情報信号によってパルス状に変調されたレーザ光を、コリメータレンズ８によって平行光とする。更に、その平行光をビームスプリッタ９を通し、対物レンズ２４によって収束し、光ディスク１の情報信号記録層上に微小な光スポットに集光するように照射する。
【００２６】
光ディスク１の情報信号記録層はパルス変調されたレーザ光の照射によって繰り返し加熱、冷却が行われ、そのプロセスの違いによってアモルファス相または結晶相に相状態が変化した記録マークが情報信号として形成される。
【００２７】
情報信号の再生を行う場合にも、同様にスピンドルモータ３により光ディスク１を回転駆動する。この状態でレーザ光源７が発生する一定強度のレーザ光を光ディスク１の情報信号記録層上に微小な光スポットに集光するように照射する。この時の情報信号記録層からの反射光の強度は、記録マークにより変化するのでこれより図示しない再生回路で情報信号を再生する。
【００２８】
このような情報信号の記録及び再生動作中は、光ディスク１で反射された光ビームはビームスプリッタ９で反射し、集光レンズ１０によって集光され、受光素子１１により検出される。受光素子１１は複数に分割された受光面を備えている。各受光面の検出信号からエラー信号生成回路４によってフォーカス制御信号とトラッキング制御信号が生成される。
【００２９】
第１のフォーカス駆動回路５ａ及び第２のフォーカス駆動回路５ｂは、このフォーカス制御信号を増幅する。そして、第１のフォーカス駆動電流及び第２のフォーカス駆動電流として第１のフォーカスコイル２５ａ、第２のフォーカスコイル２５ｂに供給する。トラッキング駆動回路６は、トラッキング制御信号を増幅し、トラッキング駆動電流としてトラッキングコイル２６に供給する。
【００３０】
アクチュエータ１２はこれら駆動電流と、永久磁石２１ａ，２１ｂ，２２が発生する磁束とが交差することで発生する電磁的な力によって可動部Ｄを光ディスク１に対して垂直に接離するフォーカス方向に駆動する。またアクチュエータ１２は可動部Ｄを記録トラックに直交するラジアル方向に駆動する。
【００３１】
このようにして光ピックアップ２からの光スポットは、光ディスク１が面振れにより垂直方向に変位しても、これに追従して記録トラック上に正確に集光するようにフォーカスが制御される。また記録トラックが偏芯によりラジアル方向に変位しても、これに追従しながら走査するようにトラッキングが制御される。
【００３２】
（第１の実施形態）
次に、本発明に係る光ピックアップ及び光ディスク装置の製造時における調整方法について説明する。まずアクチュエータ１２の第１のフォーカスコイル２５ａと第１のフォーカス駆動回路５ａを接続する。また第２のフォーカスコイル２５ｂと第２のフォーカス駆動回路５ｂを接続する。次に第１のフォーカス駆動回路５ａ及び第２のフォーカス駆動回路５ｂによって、試験用の信号（例えば５〜１０Ｈｚの正弦波）を増幅する。
【００３３】
これを第１のフォーカス駆動電流及び第２のフォーカス駆動電流として、それぞれ第１のフォーカスコイル２５ａと第２のフォーカスコイル２５ｂに供給し、可動部Ｄをフォーカス方向に振動させる。この時にフォーカス方向への駆動に伴って発生する動的なチルトを、オートコリメータ等の測定機で観測する。
【００３４】
ここでもし個々の弾性支持部材２８ａ，２８ｂ，２８ｃ，２８ｄ，２８ｅ，２８ｆの特性のばらつきによって、両側の支持部材の剛性に差があるとする。図３はこの時の動作状態を示しており、図３（ａ）は上面図、図３（ｂ）はＡ−Ａ断面図である。
【００３５】
例えば、図３においては右側の弾性支持部材２８ａ，２８ｂ，２８ｃの剛性Ｓ１が左側の弾性支持部材２８ｄ，２８ｅ，２８ｆの剛性Ｓ２よりも大きいものとする。この状態では、フォーカス方向に駆動した時に可動部Ｄが左右の弾性支持部材から受ける反力に差が生じる。即ち右側において弾性支持部材２８ａ，２８ｂ，２８ｃから受ける反力Ｆｓ１は、左側において弾性支持部材２８ｄ，２８ｅ，２８ｆから受ける反力Ｆｓ２よりも大きい。そしてこの左右の反力の差は可動部Ｄに対してモーメントＭｓとして作用する。
【００３６】
その結果、第１のフォーカスコイル２５ａと、第２のフォーカスコイル２５ｂがそれぞれ等しい駆動力Ｆｄを発生したとしても、可動部Ｄは水平状態を維持できずにフォーカス方向への駆動に伴ってラジアル方向のチルトを発生する。図３においては一点鎖線でレンズ保持部材２７の上面の動作時の状態を示している。
【００３７】
次にこのような動的なチルトを観測しながらこれを減少させるように第１のフォーカス駆動回路５ａと第２のフォーカス駆動回路５ｂのゲインの比、即ち第１のフォーカス駆動電流と第２のフォーカス駆動電流の振幅比を調整する。この調整作業は図示しない自動調整装置を用いて上述のオートコリメータ等の測定機によって測定されたチルトを監視しながらチルトが最小となるように自動的に行う。
【００３８】
図４はこの時の動作状態を示している。図４（ａ）は上面図、図４（ｂ）は図４（ａ）のＡ−Ａ線における断面図を示す。この比を適切に調整すれば第１のフォーカスコイル２５ａが発生する駆動力Ｆｄ１と第２のフォーカスコイル２５ｂが発生する駆動力Ｆｄ２の差は、可動部Ｄに発生するチルトを補正する。即ち、その差は弾性支持部材２８ａ，２８ｂ，２８ｃ，２８ｄ，２８ｅ，２８ｆの特性のばらつきに起因するモーメントＭｓを相殺する逆周りのモーメントＭｄとして可動部Ｄに作用する。
【００３９】
そのため最適なゲインの比となるように調整することにより、フォーカス方向への駆動に伴い、可動部Ｄにはモーメントが作用することがなくなる。従って、対物レンズ２４が水平状態を維持したままフォーカス方向に駆動することができる。このようなゲインの比に固定し、調整作業を終了する。
【００４０】
なお弾性支持部材２８ａ，２８ｂ，２８ｃ，２８ｄ，２８ｅ，２８ｆの特性のばらつきのみでなく、永久磁石２１ａ，２１ｂ，２２の磁束密度に差や分布が生じる場合がある。その場合には、第１のフォーカスコイル２５ａに供給する第１のフォーカス駆動電流と、第２のフォーカスコイル２５ｂに供給する第２のフォーカス駆動電流とを等しくしても、各フォーカスコイルに発生する駆動力に差が生じる。
【００４１】
その結果、同様に可動部Ｄに対してモーメントＭｓが作用し、ラジアル方向のチルトの発生の原因となる。この場合も全く同様の調整を行い、永久磁石２１ａ，２１ｂ，２２のばらつきに起因するモーメントＭｓを相殺するモーメントＭｄを可動部Ｄに作用させる。そうすることで、動的なチルトの発生を防止することができる。
【００４２】
ここで、上述のように第１、第２のフォーカス駆動回路５ａ、５ｂの駆動電流の比を調整する場合には、各駆動回路内の増幅回路に各々独立にゲインを調整するためのトリマ抵抗等の素子を設けておくことにより容易に実現できる。また信号処理がディジタル化されている場合には、各駆動回路に対して別々にゲイン設定のための定数変更が可能なように構成しておけばよい。
【００４３】
図６は第１、第２のフォーカス駆動回路５ａ、５ｂの一例を示す概略回路図である。第１のフォーカス駆動回路５ａは前段増幅回路２９ａ、差動増幅回路３０ａ、抵抗３１ａ、トリマ抵抗３２ａから構成されている。また第２のフォーカス駆動回路５ｂは前段増幅回路２９ｂ、差動増幅回路３０ｂ、抵抗３１ｂ、トリマ抵抗３２ｂから構成されている。上述のようにチルトを観測しながらトリマ抵抗３２ａ、３２ｂの抵抗値を調整することによって第１、第２の駆動回路５ａ、５ｂの駆動電流を調整する。
【００４４】
（第２の実施形態）
対物レンズ２４と光ディスク１との間に生じるチルトには、アクチュエータ１２によるフォーカス方向への駆動に伴う動的なチルトとは別に静的なチルトがある。即ち光ディスク装置の組み立て誤差によるスピンドルモータ３と光ピックアップの相対的な傾きや光ディスク１自体の変形等による静的なチルトも問題となる。
【００４５】
本発明の光ディスク装置は、第１のフォーカスコイル２５ａと第２のフォーカスコイル２５ｂに作用する駆動力にフォーカス方向の駆動量には依存しない適切な一定量のオフセットを付加する。更にそのオフセット量の差を調整することによって、このような静的なチルトのラジアル方向の成分を補正することも可能である。
【００４６】
この場合には第１のフォーカス駆動電流及び／又は第２のフォーカス駆動電流にオフセット電流を付加し、その差を調整する手段を設けておけばよい。ここでオフセットの差とは、その大きさのみでなく方向（電流の極性）が異なる場合も含むものとする。
【００４７】
このような実施形態について以下に説明する。図５は光ディスク１が対物レンズ２４に対して傾斜して取り付けられている場合を示す。図５（ａ）は上面図、図５（ｂ）は図５（ａ）のＡ−Ａ線における断面図を示す。
【００４８】
第１の実施形態と同様に第１のフォーカス駆動回路５ａと第２のフォーカス駆動回路５ｂのゲインの比（駆動電流の比）を調整する。それによって第１のフォーカスコイル２５ａが発生する駆動力Ｆｄ１と第２のフォーカスコイル２５ｂが発生する駆動力Ｆｄ２の差は、構成部材の特性のばらつきに起因するモーメントＭｓを相殺する逆周りのモーメントＭｄとして可動部Ｄに作用する。
【００４９】
その結果、対物レンズ２４が水平状態を維持するようにフォーカス方向に駆動され、動的なチルトを発生することはない。しかしそれだけでは光ディスク１に対しては、一定量のラジアル方向のチルトを有している。
【００５０】
そこで第１のフォーカス駆動電流及び／又は第２のフォーカス駆動電流にオフセット電流を付加し、その差を適切な量に調整する。その結果、図５に示すように第１のフォーカスコイル２５ａはフォーカス方向への制御駆動のための駆動力Ｆｄ１に加えて一定の駆動力Ｆｃ１を発生する。第２のフォーカスコイル２５ｂはフォーカス方向への制御駆動のための駆動力Ｆｄ２に加えて駆動力Ｆｃ１とは逆方向に一定の駆動力Ｆｃ２を発生する。
【００５１】
これら駆動力Ｆｃ１とＦｃ２の差によって一定のモーメントＭｃを発生させ、対物レンズ２４が光ディスク１に対して平行となるように回動させる。図５においては一点鎖線でレンズ保持部材２７の上面の動作時の状態を示している。
【００５２】
この時第１のフォーカスコイル２５ａと第２のフォーカスコイル２５ｂに供給される第１のフォーカス駆動電流と第２のフォーカス駆動電流は、振幅（ＡＣ成分）の比は動的なチルトを補正する最適な値に調整される。またオフセット量（ＤＣ成分）は静的なチルトを補正する最適な値に調整される。
【００５３】
なお一般的にこのような静的なチルトは、光ディスク１を装着する度に変化するので、このような調整は少なくとも光ディスク１を装着する度に自動的に行うようにしておくのが望ましい。この時光ディスク１に対するチルトは、光ピックアップに設けた専用の検出器によって検出することができる。またオフセットを変えながら再生信号のエラー率を検出し、自動調整することもできる。
【００５４】
具体的には、このような静的なチルトを調整する場合、上述のように光ディスク装置内に専用のチルト検出器を設けておく。光ディスク装置内の図示しないコントローラは第１、第２の駆動回路５ａ、５ｂから第１、第２のフォーカスコイル２５ａ、２５ｂに駆動電流を供給し、少なくとも一方の駆動電流にオフセット電流を付加して供給する。その際、コントローラはチルト検出器で検出されたチルトが最小となるように第１、第２のフォーカスコイル２５ａ、２５ｂのオフセット電流の差を調整する。
【００５５】
また、上述のような再生信号のエラー率に基づいて調整する場合には、コントローラはチルト検出器を用いる場合と同様に第１、第２のフォーカスコイル２５ａ、２５ｂへの駆動電流の少なくとも一方にオフセット電流を付加して供給する。その際、コントローラはオフセット電流を変えながら光ディスクの記録情報を再生し、エラー率が最小となるオフセット電流に調整する。記録情報としては、例えば、光ディスクのテスト領域に所定の情報信号を記録し、それを再生する。
【００５６】
なお、以上の実施形態では第１、第２の駆動回路を光ピックアップの外部に設けているが、本発明は調整のためのトリマ抵抗等の素子を含む駆動回路の一部分又は全部を、光ピックアップ上に実装することも可能である。
【００５７】
以上のように本発明の光ピックアップは、少なくとも対物レンズ２４と、２つのフォーカスコイル２５ａ、２５ｂと、対物レンズ２４と２つのフォーカスコイル２５ａ、２５ｂを保持する保持部材２７とを有する可動部Ｄを具備する。また、可動部Ｄを複数の弾性支持部材２８ａ，２８ｂ，２８ｃ，２８ｄ，２８ｅ，２８ｆによって支持する固定部Ｓを具備する。そして、可動部Ｄにフォーカス方向の駆動に伴って発生するチルトを、２つのフォーカスコイル２５ａ、２５ｂのそれぞれに供給される駆動電流の比を調整することによって補正する。
【００５８】
また、本発明の光ピックアップにおいて、２つのフォーカスコイル２５ａ、２５ｂに供給する駆動電流のうち少なくとも一方にオフセット電流を付加する。そして、可動部Ｄに発生する静的なチルトを２つのフォーカスコイル２５ａ、２５ｂのオフセット電流の差を調整することによって補正する。また、本発明は、駆動電流を供給する駆動回路５ａ、５ｂの一部又は全部を光ピックアップ内に配置する。
【００５９】
また、本発明の光ディスク装置は、少なくとも対物レンズ、２つのフォーカスコイル、対物レンズと２つのフォーカスコイルを保持する保持部材を有する可動部と前記可動部を複数の弾性支持部材によって支持する固定部とを有する光ピックアップを具備する。また、２つのフォーカスコイルにそれぞれ駆動電流を供給する駆動回路を具備する。そして、可動部のフォーカス方向の駆動に伴って発生するチルトを、駆動回路の駆動電流の比を調整することによって補正する。
【００６０】
また、本発明の光ディスク装置において、２つのフォーカスコイルに供給する駆動電流のうち少なくとも一方にオフセット電流を付加する。そして、可動部に発生する静的なチルトを２つのフォーカスコイルのオフセット電流の差を調整することによって補正する。また、駆動回路の一部又は全部を光ピックアップ内に配置する。
【図面の簡単な説明】
【００６１】
【図１】本発明に係る光ピックアップのアクチュエータの一実施形態を示す図である。
【図２】本発明に係る光ディスク装置の一実施形態を示す図である。
【図３】本発明による光ピックアップのアクチュエータの調整前の動作を説明する図である。
【図４】本発明による光ピックアップの第１の実施形態におけるアクチュエータの調整後の動作を説明する図である。
【図５】本発明による光ピックアップの第２の実施形態におけるアクチュエータの調整後の動作を説明する図である。
【図６】第１、第２のフォーカス駆動回路の一例を示す概略回路図である。
【図７】従来の光ピックアップのアクチュエータの構成を示す図である。
【符号の説明】
【００６２】
１  光ディスク
２  光ピックアップ
３  スピンドルモータ
４  エラー信号生成回路
５ａ  第１のフォーカス駆動回路
５ｂ  第２のフォーカス駆動回路
６  トラッキング駆動回路
７  レーザ光源
８  コリメータレンズ
９  ビームスプリッタ
１０  集光レンズ
１１  受光素子
１２  アクチュエータ
２０  基板
２１ａ，２１ｂ，２２  永久磁石
２３  支持基台
２４  対物レンズ
２５ａ  第１のフォーカスコイル
２５ｂ  第２のフォーカスコイル
２６  トラッキングコイル
２７  レンズ保持部材
２８ａ，２８ｂ，２８ｃ，２８ｄ，２８ｅ，２８ｆ  弾性支持部材
Ｄ  可動部
Ｓ  固定部
【図１】
2008293620.tif 000003
【図２】
2008293620.tif 000004
【図３】
2008293620.tif 000005
【図４】
2008293620.tif 000006
【図５】
2008293620.tif 000007
【図６】
2008293620.tif 000008
【図７】
2008293620.tif 000009